(57)【要約】【課題】ロッドクランプにおいて、釣竿とリール本体との一体性を確保し、釣竿径の変化に対して柔軟に対応しながらも、ロッドクランプのスリム化・軽量化を図る。【解決手段】ロッドクランプ１は、釣竿保持面６を有する竿保持部５と、竿保持部５の両端に固定されリール本体３に着脱自在に装着される固定部７とを備えている。竿保持部５は、ステンレス等の金属を材質とする板状の弾性体であり、竿取付脚部との間で釣竿を挟持する釣竿保持面６を有している。釣竿保持面６は、円弧状に形成されており、釣竿の外形に沿うように変形可能となっている。固定部７は、固定部７の形成時に竿保持部５を成形型に挿入して竿保持部５と固定されている。【選択図】　　　図３
2004121179.tif 000002
【特許請求の範囲】
【請求項１】
竿取付脚部を有するリール本体に着脱自在に取り付けられ、前記竿取付脚部との間に釣竿を保持するためのロッドクランプであって、
前記竿取付脚部との間に前記釣竿を挟持し、前記釣竿の外形に一部を接触させるように変形可能な弾性金属製の竿保持部と、
前記竿保持部の両端に固定され、前記リール本体に着脱自在に装着される固定部と、
を備えるロッドクランプ。
【請求項２】
前記固定部は、ボルトにより前記リール本体に固定される、
請求項１に記載のロッドクランプ。
【請求項３】
前記固定部は、前記竿保持部にねじ止め固定されている、
請求項１又は２に記載のロッドクランプ。
【請求項４】
前記固定部は、前記竿保持部にかしめ固定されている、
請求項１又は２に記載のロッドクランプ。
【請求項５】
前記固定部は合成樹脂製であり、前記竿保持部は前記固定部の形成時に成形型に挿入されて前記固定部と一体に固定される、
請求項１又は２に記載のロッドクランプ。
【発明の詳細な説明】
【０００１】
【発明の属する技術分野】
本発明は、ロッドクランプ、特に、竿取付脚部を有するリール本体に着脱自在に取り付けられ、前記竿取付脚部との間に釣竿を保持するためのロッドクランプに関する。
【０００２】
【従来の技術】
ロッドクランプは、竿取付脚部を有するリール本体に着脱自在に取り付けられ、竿取付脚部とで釣竿を保持するためのものである。従来のロッドクランプは、釣竿にリール本体を保持するための竿保持部と、リール本体を釣竿に着脱自在に装着するための固定部とを有している。竿保持部は釣竿の外形に一部を接触させるような円弧状の部分を有しており、固定部は竿保持部と同一材料で一体に形成されている。（たとえば、特許文献１参照。）
【０００３】
【特許文献１】
特開平１０−３１３７４５号公報（第２図）
【０００４】
【発明が解決しようとする課題】
従来のロッドクランプは、竿取付脚部との間に釣竿を保持し、リール本体に取り付けられている。また、竿保持部と固定部とは一体に形成されている。このロッドクランプで釣竿とリール本体との一体性を確保しようとすると、竿保持部の部材断面が大きくなり、ロッドクランプ全体での重量も重くなりやすい。また、竿保持部と固定部とは一体に形成されており、竿保持部の円弧状部分が一定の半径となっているため、釣竿径の変化に対してロッドクランプを柔軟に対応させることが難しくなる。
【０００５】
本発明の課題は、ロッドクランプにおいて、釣竿とリール本体との一体性を確保し、釣竿径の変化に対して柔軟に対応しながらも、ロッドクランプのスリム化・軽量化を図ることにある。
【０００６】
【課題を解決するための手段】
発明１に係るロッドクランプは、竿取付脚部を有するリール本体に着脱自在に取り付けられ、竿取付脚部との間に釣竿を保持するためのものであって、竿保持部と固定部とを備えている。
このロッドクランプでは、竿保持部と固定部とが別部材になっており、竿保持部の両端に固定部が固定されている。このように固定された固定部で、ロッドクランプがリール本体に着脱自在に装着されている。また、竿保持部は、釣竿の外形に一部を接触させるように変形可能な弾性金属製となっている。そして、竿保持部は、竿取付脚部との間で釣竿を挟持している。
【０００７】
ここでは、竿保持部と固定部とが別部材として構成されているので、竿保持部および固定部の材料を適切に選択すると、ロッドクランプで釣竿とリール本体との一体性を確保しながらも、ロッドクランプのスリム化・軽量化を図ることができる。また、竿保持部が、変形可能な弾性金属製となっているので、釣りの対象に応じて釣竿径が変化しても、竿保持部と釣竿の外形との良好なフィッティング性能を得ることができ、ロッドクランプと釣竿との一体性を向上することができる。
【０００８】
発明２に係るロッドクランプは、請求項１のロッドクランプにおいて、固定部が、ボルトにより前記リール本体に固定される。
ここでは、固定部がボルトによりリール本体に固定されているので、ボルトの締め付け度合によって、ロッドクランプとリール本体とを適切に一体化することができる。
【０００９】
発明３に係るロッドクランプは、請求項１又は２のロッドクランプにおいて、固定部が、竿保持部にねじ止め固定されている。
ここでは、固定部が竿保持部にねじ止め固定されているので、固定部と竿保持部とが異なる材料で形成されていても、固定部と竿保持部との一体性を十分に確保することができる。
【００１０】
発明４に係るロッドクランプは、請求項１又は２のロッドクランプにおいて、固定部が、前記竿保持部にかしめ固定されている。
ここでは、固定部が前記竿保持部にかしめ固定されているので、竿保持部と固定部とが異なる材料で形成されていても、固定部と竿保持部とを確実に一体化することができる。
【００１１】
発明５に係るロッドクランプは、請求項１又は２のロッドクランプにおいて、固定部が合成樹脂製であり、竿保持部が固定部の形成時に成形型に挿入されて固定部と一体に固定されている。
ここでは、固定部が合成樹脂製であり、竿保持部が固定部の形成時に成形型に挿入されて固定部と一体に固定されるので、固定部と竿保持部とをより確実に一体化することができる。特に、固定部を合成樹脂製にすることによって、形状に対する自由度が高くなり、固定部での強度や剛性の確保といった要求に応じて、形状を任意に形成することができる。
【００１２】
【発明の実施の形態】
〔ロッドクランプの構成〕
図１に、本発明の実施形態によるロッドクランプ１を示す。
ロッドクランプ１は、竿取付脚部２を有するリール本体３に着脱自在に取り付けられ、竿取付脚部２との間に釣竿４を保持するためのものであって、釣竿保持面６を有する竿保持部５と、竿保持部５の両端に固定されリール本体３に着脱自在に装着される固定部７とを備えている。
【００１３】
竿取付脚部２は、リール本体３の下面に固定されており、リール本体３に固定される面の裏側に相当する面上に釣竿装着面８を有している。釣竿装着面８は、釣竿４の外形に接触するように円弧状に形成されている。
リール本体３の下面には、竿固定用ボルト１１をリール本体３に位置決め・固定するためのねじ穴９が設けられている。
【００１４】
竿固定用ボルト１１は、ボルト本体１５とロックナット部１６とを有している。ボルト本体１５は、六角レンチ取付用の凹部が設けられたボルト頭部１７と、ボルト軸１８とを有している。ボルト軸１８の先端には、ボルト本体１５をリール本体３に固定するためのねじ部１９が設けられている。ロックナット部１６は、固定部７上方でボルト軸１８に取り付けられている。このロックナット部１６は、回転させることによってリール本体３下面に向けて移動し、リール本体３下面に当接した後、締め込み操作を行うことで、ボルト本体１５とリール本体３とをロック可能にしている。
【００１５】
竿保持部５は、図２に示すように、ステンレス等の金属を材質とする板状の弾性体であり、竿取付脚部２との間で釣竿４を挟持する釣竿保持面６を有している。釣竿保持面６は、円弧状に形成されており、釣竿４の外形に沿うように変形可能となっている。竿保持部５の両端部には、竿固定用ボルト１１を通すためのボルト穴１４が設けられている。
【００１６】
固定部７は、合成樹脂製であり、固定部７の形成時に竿保持部５を成形型に挿入して竿保持部５と固定されている。固定部７では、図３に示すように、竿固定用ボルト１１のボルト軸１８を貫通させるためのボルト穴２０が設けられている。この固定部７のボルト穴２０と竿保持部５のボルト穴１４とは、それぞれが互いに同芯となるように配置されている。固定部７下面のボルト穴２０の位置には凹部２１が設けられ、この凹部２１の底部にボルト頭部１７が当接するまで、ボルト軸１８を固定部７の下面から上面に向けて貫通させている。
【００１７】
〔ロッドクランプの作用〕
以上のようなロッドクランプ１を用いて、釣竿４をリール本体３に固定する場合、まず、リール本体３の下面に固定された竿取付脚部２の釣竿装着面８に、釣竿４上部の外形が接触するように保持する。次に、釣竿４下部の外形に、ロッドクランプ１の竿保持面６を接触させる。このように、釣竿４がリール本体３とロッドクランプ１とで挟持された状態で、ロッドクランプ１の両端に設けられた固定部７のボルト穴２０の位置と、リール本体３の下面に設けられたねじ穴９の位置とをそれぞれ互いに同芯に配置する。そして、固定部７のボルト穴２０の位置において、ボルト本体１５のボルト軸１８を固定部７の下面から上面に向けて貫通させ、固定部７の下面側に設けられた凹部２１の底部にボルト頭部１７が当接するまでボルト本体１５が挿入される。ここで、固定部７を貫通して上方に突出したボルト軸１８には、固定部７上方でロックナット部１６が取り付けられる。また、リール本体３下面のねじ穴９の位置においては、ボルト軸１８先端部に形成されたねじ部１９がねじ穴９にねじ込まれる。さらに、ロックナット部１６を回転させてリール本体３下面に当接させた上で、ロックナット部１６の締め込み操作を行うことで、ボルト本体１５はリール本体３にロックされる。
【００１８】
一方で、釣竿４をリール本体３から取り外す場合、竿固定用ボルト１１のロックナット部１６を回転させて弛めると、ロックナット部１６がリール本体３下面から離れ、ロックが解除される。さらに、竿固定用ボルト１１のボルト本体１５を回転させて、ボルト軸１８先端部のねじ部１９がねじ穴９から外されると、ボルト本体１５がリール本体３から取り外される。このとき、ロックナット部１６が固定部７上方でボルト軸１８に固定されているので、ボルト本体１５をリール本体３から取り外しても、ボルト本体１５のボルト軸１８は、固定部７のボルト穴２０から滑脱することなく、固定部７のボルト穴２０に貫通された状態で維持される。
【００１９】
このようなロッドクランプ１によって釣竿４とリール本体３との一体性を確保しながらも、ロッドクランプ１のスリム化・軽量化を図るためには、ロッドクランプ１の各部材に対して十分な強度・剛性を備えた材質を選択した上で、ロッドクランプ１の部材断面を小さくして部材重量を軽くする必要がある。また、ロッドクランプ１のスリム化・軽量化という目的はそのままに、釣りの対象に応じて釣竿径が変化しても、釣竿４とリール本体３との一体性をロッドクランプ１によって確保するためには、釣竿径の変化に対してロッドクランプ１を柔軟に対応させる必要がある。
【００２０】
このとき、本実施形態のロッドクランプ１では、竿保持部５と固定部７とが別部材として構成されているので、竿保持部５にはステンレス、固定部７には合成樹脂というように、異なった材料を適切に組み合わせることによって、ロッドクランプ１のスリム化・軽量化を図ることができる。また、竿保持部５がステンレスを材質とする板状の弾性体であることから、釣りの対象に応じて釣竿径が変化しても、竿保持部５の弾性変形によって柔軟に対応することができる。このように、竿保持部５および固定部７に対して十分な強度・剛性を確保できる材質を選択することで、ロッドクランプ１のスリム化・軽量化を行ったとしても、ロッドクランプ１で釣竿４とリール本体３との一体性を確保するという目的は達成することができ、釣竿径の変化に対してもロッドクランプ１によって柔軟に対応することができる。
【００２１】
〔他の実施形態〕
（ａ）　前記一実施形態では、ロッドクランプ１の竿保持部５の例として、材質にステンレスを用いた説明を行ったが、竿保持部５の材質は前記実施形態に限定されず、釣竿４とリール本体３との一体性が確保でき、釣竿４の外形に接触して変形可能な金属製の弾性体であれば、竿保持部５の材質はどのようなものでも良い。
【００２２】
（ｂ）前記実施形態では、固定部７と竿保持部５の固定方法として、竿保持部５が固定部７の形成時に成形型に挿入されて固定部７と一体に固定される場合の例を示したが、固定方法は前記実施形態に限定されず、固定部７と竿保持部５とを一体に固定できれば固定方法はどのようなものでも良い。たとえば、図４に示すように、竿保持部５と固定部７とは、ねじ３０又はかしめ部材３１を用いて、ねじ止め固定２０又はかしめ固定２１されていても良い。この場合、固定部７と竿保持部５とが異なる材料で形成されていても、固定部７と竿保持部５との一体性を十分に確保することができる。
【００２３】
【発明の効果】
本発明によれば、ロッドクランプにおいて、竿保持部と固定部とが別部材として構成されているので、竿保持部および固定部の材料を適切に選択すると、ロッドクランプで釣竿とリール本体との一体性を確保しながらも、ロッドクランプのスリム化・軽量化を図ることができる。また、竿保持部が、変形可能な弾性金属製となっているので、釣りの対象に応じて釣竿径が変化しても、竿保持部と釣竿の外形との良好なフィッティング性能を得ることができ、ロッドクランプと釣竿との一体性を向上することができる。
【図面の簡単な説明】
【図１】本発明の一実施形態による竿尻側から見たロッドクランプの断面図。
【図２】前記ロッドクランプの竿保持部の斜視図。
【図３】前記ロッドクランプの竿保持部および固定部の斜視図と固定部の断面図。
【図４】本発明の他の実施形態による前記実施形態の図１に相当する図。
【符号の説明】
１　ロッドクランプ
２　竿取付脚部
３　リール本体
４　釣竿
５　竿保持部
６　釣竿保持面
７　固定部
８　釣竿装着面
９　ねじ穴
１１　竿固定用ボルト
１５　ボルト本体
１６　ロックナット部
【図１】
2004121179.tif 000003
【図２】
2004121179.tif 000004
【図３】
2004121179.tif 000005
【図４】
2004121179.tif 000006